(57)【要約】  【課題】遺体の腐敗および死臭の発生を抑止する冷却棺桶装置を提供する。  【解決手段】棺桶１０の箱枠１１の底板上に、天板を簀の子とした簀の子状寝台２０を配置する。冷凍機３０が発生する冷気は、ワンタッチカプラ３２ａによって脚部側側板１５に接続されたフレキシブルチューブ３２から棺桶１０内に導入される。該冷気は、棺桶１０内の空気より密度が大きいため床面側に沈み、まず簀の子状寝台２０の下部を通過するため、遺体の背面部が優先的に冷却されてムラのない冷却が可能となる。また、棺桶１０内の温度の高い空気は、冷気に押し出されるように頭部側側板１６の排気口４０ａから外気に放出され、冷気の循環が効率よく行われる。さらに、脱臭装置４０を冷凍機３０内に収納し、前記排気口４０ａと脱臭装置４０とを第２のフレキシブルチューブで連結し、脱臭装置４０からの排気を冷凍機３０の吸入空気として用いると、より高効率が望める。  【選択図】図１
2006218177.tif 000002
【特許請求の範囲】
【請求項１】
冷気を発生する冷凍機と、
前記冷気を導入する冷気導入口および内部空気を排出する排気口を有する棺桶とを具備する冷却棺桶装置において、
前記棺桶の底板の上に、天板を簀の子とした簀の子状寝台が配置されることを特徴とする冷却棺桶装置。
【請求項２】
前記冷気は、フレキシブルチューブによって冷気導入口へ導かれ、
前記排気口の下流側には、脱臭装置が備えられることを特徴とする請求項１に記載の冷却棺桶装置。
【請求項３】
前記フレキシブルチューブの端部および前記脱臭装置には、前記冷気導入口および排気口と着脱自在なワンタッチカプラが具備されることを特徴とする請求項２に記載の冷却棺桶装置。
【請求項４】
前記冷気導入口および排気口には、前記ワンタッチカプラと対となる雌カプラが設けられることを特徴とする請求項３に記載の冷却棺桶装置。
【請求項５】
前記冷気導入口は、棺桶の長手方向と垂直な脚部側側板の上方に設けられ、
前記排気口は、棺桶の長手方向と垂直な頭部側側板の上方に設けられることを特徴とする請求項１ないし４のいずれかに記載の冷却棺桶装置。
【請求項６】
前記冷気導入口は、棺桶の長手方向と垂直な前記脚部側側板の下方に設けられ、
前記排気口は、前記冷気導入口の上方に設けられることを特徴とする請求項１ないし４のいずれかに記載の冷却棺桶装置。
【請求項７】
前記排気口と脱臭装置とが第２のフレキシブルチューブで連結され、
前記脱臭装置は、前記冷凍機と一体的に構成され、
前記脱臭装置からの排出空気が、前記冷凍機の吸入空気として使用されることを特徴とする請求項５または６に記載の冷却棺桶装置。
【請求項８】
前記棺桶は、該棺桶を収納して外気と断熱する断熱ケースを具備することを特徴とする請求項１ないし７のいずれかに記載の冷却棺桶装置。
【発明の詳細な説明】
【技術分野】
【０００１】
本発明は冷却棺桶装置に関し、特に、遺体の腐敗および死臭の発生を抑止する冷却棺桶装置に関する。
【背景技術】
【０００２】
人は、天寿を全うし、または、疾病や事故により薬石効なく死に至ると、病院から自宅、または葬儀場へと移送され、仮通夜、通夜、葬儀が営まれ、野辺に送られる。この野辺に送られるまでの期間は、葬儀の忌避日があるほか、式場、寺院の受け入れ、導師、火葬場の混み具合等の事情によって週余にわたることも珍しくない。この間にも、遺体の腐敗およびこれに伴う死臭の発生は止むことなく進行する。この課題に対し、従来から、棺桶および棺桶に安置された遺体を冷却することで腐敗の進行を抑止する処置が試みられている。
【０００３】
遺体を冷却する方法としては、棺桶内へドライアイスを配置する方法が知られている。しかしながら、該ドライアイスが発する冷気による冷却方法では、ドライアイスを配置した箇所のみの部分的な冷却になりやすく、また、蒸発して消失してしまうドライアイスを棺桶内に適宜補給しなければならないという課題があった。
【０００４】
前記課題に対して、従来から、電力で稼働する棺桶用の冷却装置が知られている。例えば、特許文献１には、棺桶の内部に着脱可能に配置する冷却ユニットと、該冷却ユニットと冷媒配管で連結された駆動装置とを備えた冷却装置が開示されている。該冷却装置によれば、棺桶の形状を問わず、冷却ユニットが発生する冷気によって棺桶内部および遺体の冷却を行うことが可能となる。
【特許文献１】特開２００２−３３６３１２号公報
【発明の開示】
【発明が解決しようとする課題】
【０００５】
しかしながら、特許文献１の冷却装置では、冷却ユニットの配置時または出棺時等における棺桶の移動時において、前記冷却ユニットを着脱する度に棺桶の蓋を開けなくてはならないという課題があった。また、棺桶内でより効率よく冷気を循環させる工夫に関しては、何らの配慮もされていなかった。
【０００６】
本発明の目的は、上記した従来技術の課題を解決し、遺体の腐敗および死臭の発生を抑止する冷却棺桶装置を提供することにある。
【課題を解決するための手段】
【０００７】
前記した目的を達成するために、本発明は、冷気を発生する冷凍機と、前記冷気を導入する冷気導入口および内部空気を排出する排気口を有する棺桶とを具備する冷却棺桶装置において、前記棺桶の底板の上に、天板を簀の子とした簀の子状寝台が配置されるようにした点に第１の特徴がある。
【０００８】
また、前記冷気は、フレキシブルチューブによって冷気導入口へ導かれ、前記排気口の下流側には、脱臭装置が備えられるようにした点に第２の特徴がある。
【０００９】
また、前記フレキシブルチューブの端部および前記脱臭装置には、前記冷気導入口および排気口と着脱自在なワンタッチカプラが具備されるようにした点に第３の特徴がある。
【００１０】
また、前記冷気導入口および排気口には、前記ワンタッチカプラと対となる雌カプラが設けられるようにした点に第４の特徴がある。
【００１１】
また、前記冷気導入口は、棺桶の長手方向と垂直な脚部側側板の上方に設けられ、前記排気口は、棺桶の長手方向と垂直な頭部側側板の上方に設けられるようにした点に第５の特徴がある。
【００１２】
また、前記冷気導入口は、棺桶の長手方向と垂直な前記脚部側側板の下方に設けられ、前記排気口は、前記冷気導入口の上方に設けられるようにした点に第６の特徴がある。
【００１３】
また、前記排気口と脱臭装置とが第２のフレキシブルチューブで連結され、前記脱臭装置は、前記冷凍機と一体的に構成され、前記脱臭装置からの排出空気が、前記冷凍機の吸入空気として使用されるようにした点に第７の特徴がある。
【００１４】
さらに、前記棺桶は、該棺桶を収納して外気と断熱する断熱ケースを具備するようにした点に第８の特徴がある。
【発明の効果】
【００１５】
請求項１の発明によれば、簀の子状寝台が配置されることによって、遺体の背面部を冷気が優先的に通過するため、ムラのない高効率の冷却が可能となり、遺体の腐敗および死臭の発生の抑止を迅速に行うことができるようになる。また、遺体を棺桶の底板上にじかに置くのではなく、寝台の上に置くことになるので、遺族にとっては遺体を手厚く棺桶内に安置しているという満足感が得られる。
【００１６】
請求項２ないし４の発明によれば、棺桶への冷却装置の着脱が非常に容易になり、また、脱臭装置によって、外気に死臭が排出されないようになる。
【００１７】
請求項５および６の発明によれば、密度の大きい冷気が棺桶の床面側に沈み、棺桶内の密度の小さい空気が上方の排気口から押し出されるように排出されるため、常に冷気の循環が行われ、効率のよい冷却が行われるようになる。
【００１８】
請求項７の発明によれば、棺桶の排気口から排出される冷気まじりの空気が再利用されることで、さらに冷却効率を高めることができるようになる。
【００１９】
請求項８の発明によれば、棺桶全体を断熱することで、冷却をより迅速に行い、かつ冷却装置を外した後も、長時間、冷却効果が保持されるようになる。
【発明を実施するための最良の形態】
【００２０】
以下、図面を参照して本発明の好ましい実施の形態について詳細に説明する。図１は、本発明を適用した冷却棺桶装置の第１実施形態の分解斜視図である。遺体が安置される棺桶１０は、箱枠１１と、簀の子（すのこ）状寝台２０と、蓋部材１３とから構成されている。天井部のみを開放した箱体としての前記箱枠１１は、桐、けやき、ひのき、もみ等の無垢材または合板によって形成される。該箱枠１１の底板の上には、渡り部材２１の上側面に、長尺かつ薄厚の板材２２を所定間隔をおいて順次平行に連結させた簀の子状寝台２０が配置され、遺体は、この簀の子状寝台２０の上に仰臥されることになる。開閉窓１４が設けられた蓋部材１３は、釘やネジ等の結合部材（不図示）または蓋部材１３の裏側に設けられる結合構造によって前記箱枠１１に結合されて、密閉空間１２が形成される。
【００２１】
遺体を冷却するための冷気は、冷却装置としての冷凍機３０によって発生される。該冷凍機３０は、電源プラグ３５から供給される電力で稼働する周知の圧縮式冷凍機である。該冷凍機３０は、外気の吸気口に除湿機構を備えており、操作パネル３６によって前記冷凍機３０を稼働させると、遺体を痛めないで腐敗を抑止できる０度〜マイナス１０度の除湿された冷気が、吐出口３１に接続したフレキシブルチューブ３２によって前記棺桶１０の内部に導かれる。前記冷凍機３０の稼働中は、排気スリット３４から熱交換後の空気が排気される。前記箱枠１１の脚部側側板１５には、前記フレキシブルチューブ３２の先端に設けられたワンタッチカプラ３２ａが着脱自在に連結される冷気導入口が設けられている。一方、前記箱枠１０の頭部側側板１６には、密閉空間１２の内部の空気を排出する排気口４０ａが設けられ、該排気口４０ａの外気側壁面に、活性炭等の脱臭剤を格納した脱臭装置４０が配設されている。該脱臭装置４０にも前記ワンタッチカプラ３２ａと同様の接続部材（不図示）が設けられ、前記棺桶１０の頭部側側板１５に着脱自在に接続されている。
【００２２】
図２は、前記棺桶１０の上面図（ａ）と、蓋部材１３を外した状態の上面図（ｂ）である。前記と同一の符号は、同一または同等部分を示している。前記簀の子状寝台２０の縦および横の寸法は、前記箱枠１１への配置のしやすさを考慮して、箱枠１１の内壁面が形成する縦および横の寸法より若干小さく設定される。
【００２３】
図３は、図２（ａ）のＡ−Ａ線断面図である。前記と同一の符号は、同一または同等部分を示している。本実施形態において、前記簀の子状寝台２０の高さは約５ｃｍとされている。これによって、簀の子状寝台２０の高さ分だけ遺体が高い位置に仰臥されることになるので、遺体と蓋部材１３との距離が適切に保たれるよう箱枠１１の高さを増してもよい。なお、該簀の子寝台２０の上面には、簀の子状寝台２０が目立たないように、薄手かつ通気性のよいシーツ等を敷いてもよい。
【００２４】
図４は、本発明の第１実施形態に係る冷却棺桶装置の冷気循環経路の概略説明図である。前記と同一の符号は、同一または同等部分を示している。前記フレキシブルチューブ３２が連結される冷気導入口は、脚部側側板１５の図示上方寄りに設けられている。該冷気導入口から導入された冷気は、密閉空間１２内の空気より密度が大きいので下方に沈む。また、簀の子状寝台２０が配置されているので、冷気が遺体の下方を優先的に通過するようになり、遺体背面部の冷却が効率よく行われる。その結果、遺体の腐敗および死臭の発生を迅速に抑えることができるようになる。また、密閉空間１２内の空気は、頭部側側板１６の図示上方に設置された排気口から排出されるため、導入される冷気より温度の高い空気が優先的に排出されて、密閉空間１２内の冷気の循環が効率よく行われるようになる。
【００２５】
なお、従来の冷却棺桶装置では、遺体が棺桶１０の床面に直接仰臥されていたため、冷気が直接的に当たる前面部と比較すると、床面と接触している背面部の冷却が遅れたり、冷却不足になったりするという不具合があった。
【００２６】
図５は、前記フレキシブルチューブ３２の概略説明図である。該フレキシブルチューブ３２は、ガラス繊維を織り込んだ合成樹脂等を用いることで、あらゆる方向に滑らかに曲がり、かつ断熱性を有するよう構成されている。その端部に接続されたワンタッチカプラ３２ａには、冷気の漏れを防止するため、前記棺桶１０の導入口内周と接触する部分に、合成樹脂性またはゴム製のパッキン等による密閉手段（不図示）が備えられている。また、該密閉手段の近傍には、周方向外向きにスプリング等で付勢された状態で突出し、かつリリースボタン３２ｃの操作によって引っ込めることが可能なロック部材３２ｄが設けられている。
【００２７】
図６は、前記フレキシブルチューブ３２を箱枠１１の脚部側側板１５に接続した状態の一部断面図である。前記と同一の符号は、同一または同等部分を示している。脚部側側板１５の冷気導入口３２ｂは、前記ワンタッチカプラ３２ａに密閉機能を持たせたため、脚部側側板１５にドリル等で穿けられた任意の径の円形孔であればよい。これによって、該冷却装置の装着に伴って何らかの部品が棺桶１０と共に焼却されてしまうことがないため、前記箱枠１１の生産コストの増加を最小限に抑えることが可能となる。前記ロック部材３２ｄは、ワンタッチカプラ３２ａを所定の位置まで押し込むと周方向外向きに飛び出して、フレキシブルチューブ３２の不用意な脱落を防止する。逆に取り外す際は、前記リリースボタン３２ｃを押してロック部材３２ｄを引っ込める。なお、棺桶１０の移動時および出棺時に、棺桶１０から前記ワンタッチカプラ３２ａを取り外すと、棺桶１０に冷気導入口３２ｂが開くので、該冷気導入口３２ｂを塞ぐ木製の蓋部材（不図示）を用意しておくとよい。また、本実施形態においては、前記冷気導入口３２ｂに直接ワンタッチカプラ３２ａを接続しているが、より容易な着脱性と高い密閉性を得るために、脚部側側板１５側に前記ワンタッチカプラ３２ａと対になる雌側カプラ（不図示）を設けてもよい。
【００２８】
図７は、本発明の第２実施形態に係る冷却棺桶装置の分解斜視図である。前記と同一の符号は、同一または同等部分を示している。本実施形態では、頭部側側板１６に第２フレキシブルチューブ３３を接続し、前記脱臭装置４０を冷凍機３０の内部に収納した点に特徴がある。前記棺桶１０から排出された空気は、第２フレキシブルチューブ３３によって冷凍機３０の内部の脱臭装置４０に導かれ、該脱臭装置４０から排出される空気が冷凍機３０へ再度吸入される。これによって、頭部側側板１６の排気口から排出される冷気まじりの空気が再利用され、さらに冷却効率を高めることができる。また、外気への空気の排出を排気スリット３４からのみとすることができ、さらには、脱臭装置４０を、電源コード３５を増設することなくオゾンや光触媒等を用いる電気式に換装することが容易となる。
【００２９】
図８および図９に、本発明の第２実施形態の変形例に係る冷却棺桶装置を示す。図８は、脚部側側板１５に設けられた冷気導入口３２ｂおよび排気口３３ｂの配置を示した概略図である。本実施形態では、脚部側側板１５の図示下方に冷気導入口３２ｂを設け、かつ脚部側側板１５の図示上方に、前記した第２フレキシブルチューブ３３が接続される排気口３３ｂを設けた点に特徴がある。図９は、本実施形態における冷気の循環経路の概略説明図である。前記フレキシブルチューブ３２から導入された密度の大きい冷気は、簀の子状寝台２０の下方すなわち遺体の背面を通って頭部側側板１６に至る。そして、冷気の導入によって押し出された、冷気より温度の高い密閉空間１２内の空気は、第２フレキシブルチューブ３３によって前記冷凍機３０に収納された脱臭装置４０へ導かれる。このため、導入される冷気が常に床側から天井側へと循環することとなり、効率のよい冷却が行われることとなる。また、本実施形態によれば、冷却装置を装着するために必要な穴開け加工は脚部側側板１５のみに施せばよく、さらに、棺桶１０の周囲における冷却装置の占有スペースを最小限に抑えることができるようになる。なお、前記脱臭装置４０を冷凍機３０に収納せず、排気口３３ｂに直接設ける実施形態も考えられる。
【００３０】
図１０は、本発明の第３実施形態に係る棺桶冷却装置の分解斜視図である。本実施形態では、前記棺桶１０が、ウレタン等による断熱材で形成された断熱ケース５０およびケース蓋部材５０ａに収納される点に特徴がある。前記断熱ケース５０には、フレキシブルチューブ３２および脱臭機構４０を前記棺桶１０に接続するための貫通穴が設けられる。本実施形態においては、前記棺桶１０全体を外気と断熱することで冷却をより迅速に行い、かつ冷却装置を外した後も、長時間冷却効果を保持することができるようになる。
【００３１】
上記したように、本発明における冷却棺桶装置によれば、棺桶の底板の上に簀の子状の寝台を設置することによって、冷却装置が発生する冷気が遺体の背面部を優先的に通るため、ムラのない高効率の冷却が可能となり、遺体の腐敗および死臭の発生の抑止を迅速に行うことができるようになる。また、冷気を棺桶内に導く通路をフレキシブルホースとするとともに、その先端にワンタッチカプラを設けたため、棺桶を移動する際の冷却装置の着脱が容易に行えるようになる。さらに、該冷却装置を装着するためには、棺桶の側板に冷気の導入口と排気口とを増設するのみでよいため、低コストで効率のよい冷却を行うことができるようになる。
【図面の簡単な説明】
【００３２】
【図１】本発明の第１実施形態に係る冷却棺桶装置の分解斜視図である。
【図２】本発明の第１実施形態に係る棺桶の上面図である。
【図３】図２（ａ）のＡ−Ａ線断面図である。
【図４】本発明の第１実施形態の係る冷却棺桶装置の冷気循環経路の概略説明図である。
【図５】フレキシブルチューブおよびワンタッチカプラの概略図である。
【図６】フレキシブルチューブの箱枠への接続状態を説明する一部断面図である。
【図７】本発明の第２実施形態に係る冷却棺桶装置の分解斜視図である。
【図８】本発明の第２実施形態の変形例に係る冷却棺桶装置の脚部側側板の概略構造図である。
【図９】本発明の第２実施形態の変形例に係る冷却棺桶装置の冷気循環経路の概略説明図である。
【図１０】本発明の第３実施形態に係る冷却棺桶装置の分解斜視図である。
【符号の説明】
【００３３】
１０…棺桶、１１…箱枠、１２…密閉空間、１３…蓋部材、１５…脚部側側板１６…頭部側側板、２０…簀の子状寝台、３０…冷凍機、３２…フレキシブルチューブ、３２ａ…ワンタッチカプラ、４０…脱臭装置
【図１】
2006218177.tif 000003
【図２】
2006218177.tif 000004
【図３】
2006218177.tif 000005
【図４】
2006218177.tif 000006
【図５】
2006218177.tif 000007
【図６】
2006218177.tif 000008
【図７】
2006218177.tif 000009
【図８】
2006218177.tif 000010
【図９】
2006218177.tif 000011
【図１０】
2006218177.tif 000012